(57)【要約】【課題】従来のウェブサイトに表示されるバナー広告では、表示サイズやデータ容量に関して制限があり、またバナー広告は画像や動画等の形式に限定され表現が制限されており、効果的な情報配信方法ではない。【解決手段】オンラインストレージサービスにおいて、端末に割り当てられたストレージ領域に予め情報データを配置し、前記情報データをダウンロードしなければストレージ領域の利用を制限することで、効果的な情報を配信する。【選択図】図１
2009059239.tif 000002
【特許請求の範囲】
【請求項１】
ユーザ毎にストレージスペースを割り当て、前記ストレージスペースにユーザのデータを格納するオンラインストレージと、前記オンラインストレージにアクセスしデータを送受信する端末と、前記オンラインストレージと前記端末とのデータの通信および管理をする管理サーバとがネットワークで接続され、
前記端末は前記ネットワークを介して、前記管理サーバにログインする手段と、前記端末に割り当てられたストレージ領域を表示する手段と、前記ストレージ領域に予め格納されている映像データ、音楽データ、スクリーンセーバー、ゲーム、プログラム等のデータからなる情報データを受信し前記端末にダウンロードする手段と、前記端末が前記情報データのダウンロード完了を検知する手段と、前記情報データをダウンロードしたことを示す完了情報を生成する手段と、前記完了情報を前記管理サーバに送信する手段とを備え、
前記管理サーバは前記完了情報を受信する手段と、前記端末が前記ストレージ領域において前記データを送受信することを許可するよう制御する手段とを備えることを特徴とするデータ保管システム。
【請求項２】
請求項１に従属し、前記端末は前記情報データを受信する手段と、所定時間、前記情報データを再生する手段と、所定時間、前記情報データを閲覧する手段と、前記情報データの再生または閲覧を検知する手段と、前記情報データを所定時間、再生または閲覧したことを示す再生情報を生成する手段と、前記再生情報を前記管理サーバに送信する手段とを備え、
前記管理サーバは前記再生情報を受信する手段と、前記端末が前記ストレージ領域と前記データを送受信することを許可するよう制御する手段とを備えることを特徴とするデータ保管システム。
【請求項３】
前記端末は前記管理サーバに前記ストレージ領域に予め格納されている前記情報データをダウンロード請求する指示手段を備え、
前記管理サーバは前記指示手段による指示情報を受信し、前記情報データを前記端末に送信するように指示する手段を備え、
前記オンラインストレージは前記情報データを前記端末に送信する手段を備え、
前記端末は前記情報データを受信し、ダウンロード完了時にダウンロード完了した事を示す完了情報を生成する手段と、前記完了情報を前記管理サーバに送信する手段とを備え、
前記管理サーバは前記完了情報を受信し、前記端末が前記ストレージ領域に前記データを送信することを許可する手段を備えることを特徴とする請求項１記載のデータ保管システム。
【請求項４】
請求項３に従属し、前記オンラインストレージの前記ユーザ毎に割り当てられた前記ストレージ領域に前記情報データを格納し、前記端末が前記オンラインストレージにアクセスするときに、前記情報データを受信するまでは他のデータの操作ができないように制御する情報配信方法。
【発明の詳細な説明】
【技術分野】
【０００１】
本発明は、インターネットを介してユーザ端末に情報を表示するインターネット情報配信システムに関し、特にオンラインストレージサービスのオンラインストレージに格納する情報データの情報配信システムに関する。
【背景技術】
【０００２】
インターネットのウェブサイトにおける広告の配信方法として広告企業のウェブサイトへのＵＲＬのリンクを付したバナー広告が知られている。
バナー広告は、ユーザが閲覧するウェブサイトの一部にテキストや画像、映像などで表示される広告スペースで、バナー広告をクリックすると広告主のウェブサイトにアクセスし広告画面を表示する。
【発明の開示】
【発明が解決しようとする課題】
【０００３】
以上に述べた例では、ウェブサイトに表示されるバナー広告をユーザがクリックしなければ、広告主の広告画面にアクセスすることはなく、また、バナー広告は表示サイズや広告データの容量など制限が多いことが多く、画像やＦｌａｓｈによる動画のバナー広告では表現に制約があり、効果的な広告配信方法ではなかった。
【０００４】
本発明はこのような従来の構成が有していた問題を解決しようとするものであり、オンラインストレージサービスにおいてユーザ端末に割り当てられたストレージ領域に表現力があり訴求力の高い広告データを格納し、必ず閲覧される仕組みを提供し広告効果の高い情報配信システムを実現することを目的とする。
【課題を解決するための手段】
【０００５】
本発明の請求項１は、ユーザ毎にストレージスペースを割り当て、前記ストレージスペースにユーザのデータを格納するオンラインストレージと、前記オンラインストレージにアクセスしデータを送受信する端末と、前記オンラインストレージと前記端末とのデータの通信および管理をする管理サーバとがネットワークで接続され、
前記端末は前記ネットワークを介して、前記管理サーバにログインする手段と、前記端末に割り当てられたストレージ領域を表示する手段と、前記ストレージ領域に予め格納されている映像データ、音楽データ、スクリーンセーバー、ゲーム、プログラム等のデータからなる情報データを受信し前記端末にダウンロードする手段と、前記端末が前記情報データのダウンロード完了を検知する手段と、前記情報データをダウンロードしたことを示す完了情報を生成する手段と、前記完了情報を前記管理サーバに送信する手段とを備え、
前記管理サーバは前記完了情報を受信する手段と、前記端末が前記ストレージ領域において前記データを送受信することを許可するよう制御する手段とを備えることを特徴とするデータ保管システムを提供することにある。
【０００６】
本発明の請求項２は、請求項１に従属し、前記端末は前記情報データを受信する手段と、所定時間、前記情報データを再生する手段と、所定時間、前記情報データを閲覧する手段と、前記情報データの再生または閲覧を検知する手段と、前記情報データを所定時間、再生または閲覧したことを示す再生情報を生成する手段と、前記再生情報を前記管理サーバに送信する手段とを備え、
前記管理サーバは前記再生情報を受信する手段と、前記端末が前記ストレージ領域と前記データを送受信することを許可するよう制御する手段とを備えることを特徴とするデータ保管システムを提供することにある。
【０００７】
本発明の請求項３は、前記端末は前記管理サーバに前記ストレージ領域に予め格納されている前記情報データをダウンロード請求する指示手段を備え、
前記管理サーバは前記指示手段による指示情報を受信し、前記情報データを前記端末に送信するように指示する手段を備え、
前記オンラインストレージは前記情報データを前記端末に送信する手段を備え、
前記端末は前記情報データを受信し、ダウンロード完了時にダウンロード完了した事を示す完了情報を生成する手段と、前記完了情報を前記管理サーバに送信する手段とを備え、
前記管理サーバは前記完了情報を受信し、前記端末が前記ストレージ領域に前記データを送信することを許可する手段を備えることを特徴とする請求項１記載のデータ保管システムを提供することにある。
【０００８】
本発明の請求項４は、請求項３に従属し、前記オンラインストレージの前記ユーザ毎に割り当てられた前記ストレージ領域に前記情報データを格納し、前記端末が前記オンラインストレージにアクセスするときに、前記情報データを受信するまでは他のデータの操作ができないように制御する情報配信方法を提供することにある。
【発明の効果】
【０００９】
上述したように、本発明の情報配信システムは、オンラインストレージに割り当てられたユーザ端末のストレージ領域に情報データを格納し、前記情報データをダウンロードし、再生または閲覧しない限りオンラインストレージを利用することができないよう制限することで、ユーザは必ず情報を閲覧することとなる。また、情報データはバナー広告とは違い、画像やＦｌａｓｈの動画だけに限らず、音声、スクリーンセーバー、ゲーム等のプログラムなどファイル形式に囚われず自由な表現が可能であり、バナー広告よりも効果的である。
【発明を実施するための最良の形態】
【００１０】
以下、本発明の実施の形態を図１、図２に基づいて説明する。
【００１１】
図２は本発明の実施の形態を示すフローチャートを示し、図１のブロック図と合わせて説明する。１は端末、２は管理サーバ、３はオンラインストレージ、４はオンラインストレージ３の端末１に割り当てられたストレージ領域、５はストレージ領域４に格納する情報データ、６は端末１から送信しオンラインストレージ３に保存したデータファイル、７は端末１が所有しているデータファイルを示す。
まず、Ｓ１で示すように端末１は管理サーバ２にＩＤ及びパスワードを送信しログインを要求し、管理サーバ２にログインするとＳ２で示すようにオンラインストレージ３の端末１に割り当てられたストレージ領域４を表示する。ストレージ領域４には予め情報データ５が格納されており、Ｓ３で示すように端末１が情報データ５をストレージ領域４から端末１にダウンロードしなければ管理サーバ２がオンラインストレージ３の利用をできないよう制御し、端末１が情報データ５を端末１にダウンロードを完了したかを検知する。Ｓ４で示すように管理サーバ２は端末１が情報データ５をダウンロード完了したことを検知していない場合には、端末１が所有しているファイルデータ７をオンラインストレージ３に送信・格納することができない、また、オンラインストレージ３に格納されているデータファイル６をダウンロードすることができないように管理サーバ２が制御する。Ｓ５で示すように管理サーバ２は端末１が情報データ５をダウンロード完了したことを検知した場合には、端末１がデータファイル７をオンラインストレージ３に送信・格納することを可能にし、また、データファイル６を端末１にダウンロードすることを可能にするよう管理サーバ２が制御する。
【００１２】
本発明の実施例では、端末１が情報データ５をダウンロードすることが条件となっているが、ダウンロード後に情報データを再生または閲覧までをしなければデータファイル６のダウンロードおよびデータファイル７のオンラインストレージ３へのアップロードができないとする場合もある。
【００１３】
また、本発明の実施例における情報データは、画像や、音声、動画、ゲーム、アプリケーション等で、ファイル形式を制限しないものである。
【００１４】
本発明は、オンラインストレージに割り当てられたユーザ端末のストレージ領域に情報データを予め格納し、ダウンロードし再生または閲覧するまではその他のデータファイルを送受信することができないよう制御することで、情報データは必ず利用され広告効果が高くなる。
また、情報データはバナー広告のようにファイル形式が制限されることなく、様々なファイルを利用することができるので、広告主の商品乃至はサービスに適切なファイル形式を選択することができ、より効果的な広告商品をユーザに提供することが可能となる。
【図面の簡単な説明】
【００１５】
【図１】本発明の実施形態を示すブロック図
【図２】本発明の実施形態を示すフローチャート
【符号の説明】
【００１６】
１    端末
２    管理サーバ
３    オンラインストレージ
４    ストレージ領域
５    情報データ
６    データファイル
７    データファイル
【図１】
2009059239.tif 000003
【図２】
2009059239.tif 000004